(57)【特許請求の範囲】
【請求項１】
左右の駆動車輪１，１を夫れ夫れ独立して制動するブレーキ装置２，２と、これら左右のブレーキ装置２，２を夫れ夫れ独立して制動操作するブレーキペダル４１，４１を有する移動農機において、
前記ブレーキ装置２を覆うハウジング２０の外部に、同ブレーキ装置２を作動させるアーム２ａを前後揺動自在に支持し、
前記アーム２ａに、前記ブレーキペダル４１をロッド５４を介して前後揺動操作自在に連動連結すると共に、油圧アクチュエータ３を、同アクチュエータ３のピストン３ａの伸縮操作により前記アーム２ａを接当させて強制的に前後揺動させるよう設けたことを特徴とする移動農機。
【発明の詳細な説明】
【技術分野】
【０００１】
この発明は、移動農機の構成関し、特に旋回時に旋回内側の後輪ブレーキを制動して旋回するものに利用できる。
【背景技術】
【０００２】
従来のものは、特開平２−１７５３３１号公報で示すように、ステアリングハンドルを廻してこれが所定角度以上に操作されると、前輪増速装置を作動しその余剰油で旋回内側の後輪ブレーキを制動して旋回するものや、特開平６−１６１４９号公報で示すように、ステアリングハンドルを廻してこれが所定角度以上に操作されると、前輪を高速側に変速作動しながら旋回内側の後輪ブレーキを制動して旋回するもの等が公知である。
【特許文献１】特開平2-175331号
【特許文献２】特開平6-16149号
【発明の開示】
【発明が解決しようとする課題】
【０００３】
このような従来のものは、後輪ブレーキ部に取り付けた油圧アクチュエータを作動する高圧油の切換弁とアクチュエータが、遠く離れておりさらにパイプ状の油圧配管や弾性配管等で接続されているので、アクチュエータの作動までに時間的な遅れや内圧上昇が安定しない欠点を有していた。
【課題を解決するための手段】
【０００４】
この発明は、従来装置のこのような不具合を解消しようとするものであって、次のような技術的手段を講じた。即ち、左右の駆動車輪１，１を夫れ夫れ独立して制動するブレーキ装置２，２と、これら左右のブレーキ装置２，２を夫れ夫れ独立して制動操作するブレーキペダル４１，４１を有する移動農機において、
前記ブレーキ装置２を覆うハウジング２０の外部に、同ブレーキ装置２を作動させるアーム２ａを前後揺動自在に支持し、
前記アーム２ａに、前記ブレーキペダル４１をロッド５４を介して前後揺動操作自在に連動連結すると共に、油圧アクチュエータ３を、同アクチュエータ３のピストン３ａの伸縮操作により前記アーム２ａを接当させて強制的に前後揺動させるよう設けたことを特徴とする移動農機。
【発明を実施するための最良の形態】
【０００５】
図例は、農用トラクターである移動農機９であって、この移動農機９の後車輪である駆動車輪１，１部に、この発明の片ブレーキ装置を折り込んで旋回時に内輪側駆動車輪１を制動し旋回するものである。
【０００６】
機体の前方には操舵車輪７が設けられ、運転者がハンドル１０を左または右に操舵するのをステアリング軸１１途中に設けた回転式ポテンショメーター等の検出具８で、その回転の方向や角度や操作速度を検出しコントローラーであるＣＰＵ１２に伝える。ＣＰＵ１２は、機体の座席１３近傍に配設されている。
【０００７】
前車輪である操舵車輪７，７間上方の前フレーム１４部にはエンジン１５が搭載されており、その上方をボンネット１６で、前方をフロントグリル１７で、側方をサイドカバー１８，１８で夫れ夫れ覆っている。１９は計器盤部を上方に有したリヤーカバーであり、その後部に前述のハンドル１０やステアリング軸１１等を取り付けている。
【０００８】
また、左右の駆動車輪１，１は、アクスルハウジング２０，２０から左右に夫れ夫れ突出している。エンジン１５から駆動車輪１間は、クラッチハウジング２１や前伝動ケース２２や後伝動ケース２３等から成る主フレームで連結されている。前述のアクスルハウジング２０は、後伝動ケース２３の側方壁面に取り付けられ、このアクスルハウジング２０外側方に後述する要部の油圧アクチュエータ３がボルト２４，２４等の締付具で取り付けられる。
【０００９】
後伝動ケース２３の上方には油圧シリンダーケース２５が取り付けられ、ケース内に内装された油圧シリンダー２６内のピストン２７の圧油による移動によりリフトアーム２８が昇降移動する。２９は二点リンクヒッチであって、ロータリ作業機３１の取付アーム３２部をヒッチ軸３０に軸着し、この取付アーム３２とリフトアーム２８間をリフトロッド３３で連結する。リフトアーム２８の昇降移動により、ロータリ作業機３１は上下動する。３４はポジションレバーであって、ポジションレバー３４の前後方向揺動に比例してリフトアーム２８が上下するものであり、図例のものはポジションレバー３４の下端に回転式のポテンショメーター３６を取り付けて、レバーの揺動角度を検出しＣＰＵ１２に伝える。そして、この揺動方向と角度の大小の検出により、油圧シリンダー２６への高圧油圧回路３７途中のソレノイドバルブ３８を上げ，中立，下げのいずれかに変更し操作する。また、ポジションレバー３４の最上昇部には上限スイッチ３５が設けられ、このスイッチの作動を検出しＣＰＵに伝える。安価型の移動農機９におけるポジションレバー３４ｃを図６で示すが、安価型ではレバー下部のポテンショメーター３６の代わりに機械式のリンク５７を介して、高圧油圧回路３７ｃに設けたスプール式の油路切換弁５８のスプール５８ａを直接手動操作して、リフトアーム２８を昇降制御するものとしている。図４で示す３９は簡易昇降レバーであって、図例ではハンドル１０下部に設けられ側方に突出したスイッチ的なレバーであるが、運転者の近傍であれば座席１３やフェンダー４０部に配設していてもよい。この簡易昇降レバー３９は、レバー操作のスイッチＯＮまたはＯＦＦ信号をＣＰＵ１２に伝え、リフトアーム２８を昇降操作するものでありポジションレバー３４と同様の昇降制御の働きをするが、ポジションレバー３４がそのレバー操作後のレバー角度位置と比例した位置にリフトアーム２８を無段階位置に移動制御するのに対し、この簡易昇降レバー３９は単に操作信号をＣＰＵ１２に伝えて作業装置が下降している場合上まで上昇し、作業装置が上に上がっている場合下まで下降する指令を発して、リフトアーム２８を上または下の二段階位置に昇降制御するものである。
【００１０】
４１はブレーキペタルであって、機体右下方のフロア４２から上方に突設された二個のペタルであって、運転者が片方踏むと踏んだ方向の片側の駆動車輪１が制動され、両方のブレーキペタル４１を踏むと両方の駆動車輪１，１が制動される。運転者操作用のペタルとしては、図示しないがこの他に主クラッチ操作用のクラッチペタルやエンジン１５回転制御用のアクセルペタル等が、フロア４２の前方に配設されている。
【００１１】
５６は主変速レバーである。前後の伝動ケース２２，２３内には、主変速や副変速等の変速装置４３が設けられ、主変速レバー５６や他の副変速レバー（図示せず。）等の変速操作により進行速度や前進後進等を調整し、デファレンシャル機構４４に伝達する。このデファレンシャル機構４４に伝達した駆動力は、デファレンシャル機構４４部で左右に分割され、夫々左右の駆動車輪１，１に伝達される。このデファレンシャル機構４４から突出する出力軸４５，４５の外方端部は前述したアクスルハウジング２０で覆われており、軸外端側にブレーキ装置２が取り付けられている。４６は出力ギヤであって、駆動車輪１を取り付ける車軸１ａ側への減速伝動歯車である。ブレーキ装置２はドラムブレーキでもディスクブレーキでも良く、アクスルハウジング２０外部に設けたブレーキアーム２ａを前後方向に揺動操作することにより制動と非制動を、前述したブレーキペタル４１の足動による「人為操作」や、以下詳述する油圧機構利用の「自動制御」で行なえれば良い。
【００１２】
前後の伝動ケース２２，２３側方に突設したアクスルハウジング２０の蓋体４７近傍外方には、制動ケース４８がボルト２４，２４．．で主フレーム側に一体的に取り付けられる。制動ケース４８の上部には油圧アクチュエータ３が設けられ、ピストン３ａが前後方向移動自在に内挿されている。この制動ケース４８は、左右の駆動車輪１，１用として独立作動する一対が、アクスルハウジング２０側方に夫々取り付けられている。ピストン３ａの突出端は、ブレーキアーム２ａを前後方向揺動可能な位置に突出しており、図例ではブレーキアーム２ａの後面に接当状態に設けられている。制動ケース４８の下部には電気式のソレノイドである切換弁６が取り付けられており、電気指令により油圧回路４内の高圧油を、タンク５側またはピストン３ａ背部のシリンダー室３ｂ側に切り替える二室切換弁としている。
【００１３】
４９は減圧弁であって、タンク５内の油を油圧ポンプ５０で例えば１平方センチ当たり２５Ｋｇの圧力に加圧し、減圧弁４９の下流側の油圧回路４内の内圧を例えば２２Ｋｇに常に一定圧に保持するものである。５１は圧力制御弁、５２は安全弁である。５３は逃げ孔であって、出力軸４５の外端側の蓋体４７に開口しており、制動ケース４８からタンク５側に逃げる油が通過する際各部の適所（軸，湿式ディスクブレーキ，歯車等）を潤滑する。図例では、制動ケース４８と油圧アクチュエータ３と切換弁６を一体としているが、この要部はパイプを使用せずに、剛体の油路同士を連結することを特徴とするものであるから、油路を突き合わせる状態であれば、ケース４８自体は上下二分割したケースをボルト等で一体化しても良い。
【００１４】
ブレーキペタル４１とブレーキアーム２ａ間はロッド５４で連動連結されており、ブレーキペタル４１を踏むとブレーキアーム２ａが矢印「イ」方向に移動し、ブレーキ装置２を制動操作し駆動車輪１を停止させる。また、ハンドル１０を左または右に一定以上操舵すると、ステアリング軸１１部の検出具８によりその操舵方向内輪側の駆動車輪１を制動するために、制動側の制動ケース４８内のピストン３ａを突出させ、ブレーキアーム２ａを矢印「イ」方向に強制的に自動移動する。ブレーキアーム２ａとロッド５４間は、長孔５５を介して連結されておりピストン３ａの突出時にロッド５４が動かない。ピストン３ａの背部のシリンダー室３ｂ内の圧油がタンク５側に逃げると、ブレーキ装置２またはロッド５４部等に設けた図示しない戻し機構や戻しバネにより、ブレーキアーム２ａは元の非制動位置に戻る。
【００１５】
ここで、ブレーキペタル４１の足動による「人為操作」での旋回の場合は運転者がペタルをふんでいるから、作業機の上昇操作を忘れて地中に残したまま旋回する誤操作や、旋回時に作業機が他物に接当する運転ミス等の、旋回姿勢の変更時に異状が発生した時は、運転者の足裏への反力と姿勢変化を比較し、異状の有無は容易にわかる。しかし、単にハンドル１０の操舵に伴う、油圧機構利用の「自動制御」で旋回すると、移動農機９の反応がよくわからず素人では、作業機を壊す運転をする場合が発生する。このような場合は、ポジションレバー３４の上限方向上げ操作時に感知する上限スイッチ３５の検出があったときのみ、油圧アクチュエータ３を作動するようにプログラムを組んでおけば、このような失敗を少なくできる。図例では、上限スイッチ３５をポジションレバー３４の上昇操作で検出しているが、他にリフトアーム２８の上昇角度や位置等を検出し規制しても良い。
【００１６】
図５は、ポジションレバー３４の別実施例であって、握り３４ａ部に昇降スイッチ３９ａを設け、このスイッチの押圧操作をＣＰＵ１２で検出し、この検出により作業装置が下降している場合上まで上昇し、作業装置が上に上がっている場合下まで下降する指令を発して、リフトアーム２８を上または下の二段階位置に昇降制御する。このポジションレバー３４ｂも第一図例のポジションレバー３４と同じで、レバー操作後のレバー角度位置と比例した位置にリフトアーム２８を無段階位置に移動制御するようにしている。
【００１７】
また図６に示すように、主変速レバー５６近傍にはバック位置検出スイッチ５９が設けられ、主変速レバー５６が後進側に変速操作されるとこのスイッチにより信号をＣＰＵ１２に伝え、電動モーター６０を回転し、スプール５８ａを作業機上昇側に作動する。以後、この機構を「バックアップ」機構と呼ぶ。
【００１８】
このバックアップ機構を有する安価型の移動農機９における、ポジションレバー３４ｃの別変更例を図６で説明する。ポジションレバー３４ｃは、運転者の手動操作により、油路切換弁５８内のスプール５８ａを上げまたは下げ方向に操作しリフトアーム２８を昇降制御する。さらに、別の自動操作として、ポジションレバー３４ｃの握り６１部に電気スイッチである上げスイッチ６２と下げスイッチ６３を取り付ける。この上げスイッチ６２と下げスイッチ６３は、レバーの揺動操作の必要が無く単にスイッチを押すだけで、電動モーター６０を回転駆動しスプール５８ａを上下切り替える。
【００１９】
６４はモード設定ダイヤルであって、図例ではハンドル１０近傍の計器盤部に設けているが、座席１３やフレーム４０近傍に取り付けても良い。このモード設定ダイヤル６４は旋回時の内輪ブレーキ機構の自動作動をＯＮ，ＯＦＦするスイッチであり、圃場内ではスイッチＯＮしてハンドル１０の操舵と連動して自動旋回を行なっており、圃場から道路上に出て路上を高速走行する際には安全上の理由からＯＦＦとしており、ハンドル１０を所定角度以上操舵しても旋回時にブレーキの自動作動はさせないようにしている。
【００２０】
圃場内では操作容易化のため、手動操作するポジションレバー３４を操作しなくても、スイッチ的な簡易昇降レバー３９や昇降スイッチ３９ａや上げスイッチ６２や下げスイッチ６３等を軽く作動させて作業機の昇降を行なっている。このような機構は運転者の疲労軽減のためには必要であるが、路上走行中にスイッチに間違って触れると作業機が昇降し、道路上の歩行者や自動車等他に危険を及ぼす欠点があった。ここで、モード設定ダイヤル６４を路上走行のためＯＦＦとした時は、各種の、スイッチ的な簡易昇降レバー３９や昇降スイッチ３９ａや上げスイッチ６２や下げスイッチ６３等による簡易昇降を規制し、ポジションレバー３４による手動の揺動操作に伴う、比例した作業機昇降位置制御のみ働かせる。このようにすると、間違ってポジションレバー３４に運転者の服の一部や身体の一部が接当して昇降動作したとしても、作業機が上限や地面まで一気に動く恐れが無くより安全性を向上できる。
【００２１】
また、独立した左右のブレーキペタル４１，４１は、圃場内では運転者の足動による急旋回のために左右分離している必要があるが、道路上の走行時には片ブレーキを作動させると移動農機９の姿勢が変わり過ぎて危険なため、左右のブレーキペタル４１，４１を機械的に固定する固定具（図示せず。）を設けて危険防止としている。しかし、短距離の道路移動では両ペタルを踏めば良いとの安易な考えで固定具を使用せずに道路を走行して、道路側方の溝や川に転落する事故が繰り返されている。ここで、この発明の自動旋回機構である油圧アクチュエータ３作動部を、モード設定ダイヤル６４を路上走行のためＯＦＦとした時は、検出具８の操舵角度検出に関わらず、ブレーキペタル４１の一方が踏まれたとき、両方の油圧アクチュエータ３，３に切換弁６，６を介して圧油を流し、左右の駆動車輪１，１を同時制動する。このようにすると、路上走行時の安全性がより向上できると共に、足に力の無い老人や婦女子でも移動農機９の停止動作を軽い力で行なえる。
【発明の作用効果】
【００２２】
この発明は、説明したように、左右の駆動車輪１，１を夫れ夫れ独立して制動するブレーキ装置２，２と、これら左右のブレーキ装置２，２を夫れ夫れ独立して制動操作するブレーキペダル４１，４１を有する移動農機において、
前記ブレーキ装置２を覆うハウジング２０の外部に、同ブレーキ装置２を作動させるアーム２ａを前後揺動自在に支持し、
前記アーム２ａに、前記ブレーキペダル４１をロッド５４を介して前後揺動操作自在に連動連結すると共に、油圧アクチュエータ３を、同アクチュエータ３のピストン３ａの伸縮操作により前記アーム２ａを接当させて強制的に前後揺動させるよう設けたことを特徴とする移動農機としたものであるから、油圧アクチュエータ３はアーム２ａを直接当接させ、ブレーキを作動することができ、時間的な遅れを解消することができ、安定した旋回を行なうことができる。
【図面の簡単な説明】
【００２３】
【図１】左駆動車輪側の、要部拡大側面図である。
【図２】図１の一部断面した、背面図である。
【図３】制御回路の、説明線図である。
【図４】全体側面図である。
【図５】別図例の、ポジションレバー斜視図である。
【図６】さらに別の、ポジションレバー廻りの、説明線図である。
【符号の説明】
【００２４】
１  駆動車輪
２  ブレーキ装置
３  油圧アクチュエータ
３ａ油圧アクチュエータのピストン
６  切換弁
７  操舵車輪
８  検出具
２０  アクスルハウジング
４１  ブレーキペダル
【図１】
0003726829.tif 000002
【図２】
0003726829.tif 000003
【図３】
0003726829.tif 000004
【図４】
0003726829.tif 000005
【図５】
0003726829.tif 000006
【図６】
0003726829.tif 000007